(57)【要約】【課題】開封時におけるバンド挿入部の引き裂きを容易にした封緘具を提供するものである。【解決手段】  この封緘具は、バンド部と、前記バンド部を締め付け方向へのみ挿通可能としたバンド挿入部と、前記バンド挿入部の基端部にバンド部とは反対方向に設けた把持部を備えており、前記バンド挿入部の基端部にスリットを設け、把持部に前記スリットに連通する透孔を設けるとともに、前記透孔と把持部の側面との間に切断部を設けてなる。前記バンド部は、連接部を介してバンド挿入部に連結する構成としてもよい。また、バンド部を連接部を介してバンド部に連結した場合には、前記バンド挿入部の基端部にスリットを設け、連接部に前記スリットに連通する透孔を設けるとともに、前記透孔と連接部の側面との間に切断部を設ける構成とすることができる。そして、前記切断部を他の部分よりも薄肉とすることができる。【選択図】        図３
2005313930.tif 000002
【特許請求の範囲】
【請求項１】
バンド部と、前記バンド部を締め付け方向へのみ挿通可能としたバンド挿入部と、前記バンド挿入部の基端部にバンド部とは反対方向に設けた把持部とを備えており、前記バンド挿入部の基端部にスリットを設け、把持部に前記スリットに連通する透孔を設けるとともに、前記透孔と把持部の側面との間に切断部を設けたことを特徴とする封緘具。
【請求項２】
バンド部は連接部を介してバンド挿入部に連結していることを特徴とする請求項１に記載の封緘具。
【請求項３】
前記バンド挿入部の基端部にスリットを設け、連接部に前記スリットに連通する透孔を設けるとともに、前記透孔と連接部の側面との間に切断部を設けたことを特徴とする請求項２に記載の封緘具。
【請求項４】
切断部を他の部分よりも薄肉としたことを特徴とする請求項１〜３のいずれか１項に記載の封緘具。
【請求項５】
バンド挿入部と把持部又は連接部に補強板を設け、バンド挿入部と把持部又はバンド挿入部と連接部とを一体に連結したことを特徴とする請求項１〜３のいずれか１項に記載の封緘具。
【請求項６】
把持部の先端に突片を設けるとともに、バンド挿入部と把持部とに設けた補強板により一体に連結したことを特徴とする請求項１〜３のいずれか１項に記載の封緘具。
【請求項７】
バンド部と、前記バンド部を締め付け方向へのみ挿通可能としたバンド挿入部とを有し、前記バンド挿入部には、基端部又は上端部に他の部分よりも薄肉とした切断部を設けたことを特徴とする封緘具。
【請求項８】
バンド挿入部の基端部又は上端部に把持部を突設し、前記把持部の両側に切断部を設けたことを特徴とする請求項７に記載の封緘具。
【請求項９】
バンド挿入部の上端部に突設した把持部とは反対方向にも把持部を突設したことを特徴とする請求項７又は請求項８に記載の封緘具。
【請求項１０】
バンド挿入部と把持部とに補強板を設け、バンド挿入部と把持部とを一体に連結したことを特徴とする請求項７〜９のいずれか１項に記載の封緘具。
【発明の詳細な説明】
【技術分野】
【０００１】
この発明は、例えば、郵便物を入れた袋や硬貨袋のような袋物の口を結束したり封印するときなどに用いられる封緘具に関する。
【背景技術】
【０００２】
一般に、袋物の口を結束したり封印する封緘具は、プラスチックにより作られており、封印に用いられているものを取り外して再使用することができるタイプのものと、取り外すときには切断しなければならず再使用することができないタイプのものとがある。再使用できるタイプでは、ロックを解除することによって取り外すことができるが、再使用することができないタイプでは、ロックを解除することができずハサミ等によってバンド部分を切断しなければならない。切断することは、切断具を用意しなければならないとともに、切断する煩わしさがある。
【０００３】
そこで、再使用することができないタイプでも切断することなしに取り外しをできるようにしたものが提案されている。その１つは、バンド体の一端部に指で摘んで引っ張ることができる板片部を設け、この板片部にバンド体を挿入可能な挿入部を設け、この挿入部とバンド体とに引き抜きを阻止する連結機構を設けてなり、板片部を引っ張ることにより引き破られてバンド体の一端部を挿入部から分断する破断線の中間部が挿入部を取り囲む形態で板片部に設けられ、破断線の一端部が挿入部の一方側を通過して板片部の端縁まで延びきっており、破断線の他端部が上記挿入部の他方側を通過してバンド体の一端部における幅方向の端縁まで延びているというものである。
【０００４】
また、２つには、バンド部と、このバンド部の基端に連設されたタグ部と、バンド部の基端とタグ部との間の連接部に裂け目を介して引きちぎり可能に繋いである隆起状のヘッド部とを備えており、前記ヘッド部のバンド延出方向側とは反対側に、前記ヘッド部の隆起方向と同一方向に隆起する凸部が前記ヘッド部に隣接し、前記タグ部に前記裂け目と連続する裂け目を介して引きちぎり可能に連設され、凸部とヘッド部との連接部を前記凸部がヘッド部に近づくように折り曲げることにより前記凸部がヘッド部に接当干渉するようにしたものである。
【特許文献１】実用新案登録第２６０６０７３号公報
【特許文献２】特開２００１−１９９４７１号公報
【発明の開示】
【発明が解決しようとする課題】
【０００５】
しかしながら、上記構成の封緘具においては、破断線や裂け目が挿入部を取り囲むように設けられているので、引き裂く場合にも挿入部の回りを回すように引っ張らなければならない。従って、必ずしも容易に引き裂くことはできないという問題があった。
【０００６】
そこで、この発明は、かかる問題を解消するためになされたものであり、バンド挿入部の一方側をめくり上げ、あるいは引き裂くことによって取り外すことができるようにしたもので、例えば、挿入部に指で摘むことができる突片を連設しておき、この突片を引っ張ってバンド挿入部の一部を引き裂くことによって、バンド体と挿入部とのロック状態を解除し、再度ロックすることを不可能にした封緘具を提供することを目的とする。
【課題を解決するための手段】
【０００７】
この発明は上記目的を達成するために次のような構成とした。即ち、この発明に係る封緘具は、バンド部と、前記バンド部を締め付け方向へのみ挿通可能としたバンド挿入部と、前記バンド挿入部の基端部にバンド部とは反対方向に設けた把持部を備えており、前記バンド挿入部の基端部にスリットを設け、把持部に前記スリットに連通する透孔を設けるとともに、前記透孔と把持部の側面との間に切断部を設けたことを特徴とする。前記バンド部は、連接部を介してバンド挿入部に連結する構成としてもよい。バンド部を連接部を介してバンド部に連結した場合には、前記バンド挿入部の基端部にスリットを設け、連接部に前記スリットに連通する透孔を設けるとともに、前記透孔と連接部の側面との間に切断部を設ける構成とすることができる。そして、前記切断部を他の部分よりも薄肉とすることができる。さらに、バンド挿入部と把持部又は連接部に補強板を設け、この補強板によってバンド挿入部と把持部又はバンド挿入部と連接部とを一体に連結してもよいし、把持部の先端に突片を設けてもよい。
【０００８】
また、この発明に係る封緘具は、バンド部と、前記バンド部を締め付け方向へのみ挿通可能としたバンド挿入部とを有し、前記バンド挿入部には、上端部または基端部に他の部分よりも薄肉とした切断部を設けたことを特徴とする。バンド挿入部の上端部又は基端部に把持部を突設し、前記把持部の両側に切断部を設けるようにしてもよい。さらに、バンド挿入部の上端部に突設した把持部とは反対方向にも把持部を突設することが好ましい。また、バンド挿入部と把持部とに補強板を設け、一体に連結することが好ましい。
【発明の効果】
【０００９】
上記のように、この発明によれば、挿入部に設けた把持部を持ってバンド部と同一方向に把持部を引っ張るだけで簡単に挿入部を引き裂いて破壊することができるので、ロック状態は解除され、バンド部を引き抜くことができる。また、挿入部は破壊されているので、再度封緘具として使用することはできない。このように、この発明によれば、切断具を用いることなく、簡単に取り外すことができるとともに、開封による不正な使用を防止することができる。
【発明を実施するための最良の形態】
【００１０】
以下に、この発明を図示する実施形態について詳細に説明する。図１は、一実施形態を示す封緘具の平面図、図２は、同じく側面図である。この封緘具Ｆは、バンド部１と、連接部２と、断面方形状のバンド挿入部３と、把持部４とからなり、ナイロン、ポリプロピレン等の合成樹脂によって一体に形成されている。
【００１１】
前記バンド部１は、折り曲げ可能な可撓性を有しており、片面には、前記連接部２側に略円錐状の突起２１が所定の間隔でバンド部１の長さ方向に突設されており、前記突起２１に続いて鋸歯状の係合突起２２がバンド部の先端部に向かって突設されている。さらに、前記バンド部１の前記突起２１，係合突起２２を突設した面の反対側の面には、円盤状突起２３がバンド部１の先端側に突設されている。前記円盤状突起２３は、バンド部を引っ張るときの滑り止めとして作用する。
【００１２】
また、バンド部１を先端部から挿入して引き抜きを阻止する前記バンド挿入部３は、図３〜図７に示すように、連接部２を介して設けられており、連接部２は、平面においてバンド挿入部３の周縁からはみ出す大きさであって、バンド部１と同じ肉厚に形成されている。
【００１３】
バンド挿入部３は、上端面３１と下端面３２が開口した断面方形状のバンド挿入孔３３を有する中空体であって、前記円盤状突起２３側に突出している。前記バンド挿入孔３３の断面形状は、バンド部１の断面形状とほぼ同一形状に形成されている。また、前記バンド挿入孔３３の内面には、挿入されたバンド部１の前記係合突起２２と引き抜き方向において係合する係合爪３４と、この係合爪３４と対向する側に押圧用リブ３５が設けられている。
【００１４】
前記係合爪３４は、先端部が上端面３１に向かって内側に傾斜しており、側面は解放されて下端部のみがバンド挿入孔３３の内面に連結している。従って、バンド部１を挿入すると、係合爪３４は、先端部がバンド挿入孔３３の内面側に押圧されて変形するが、挿入したバンド部１を引き抜こうとすると、係合爪３４の端面が係合突起２２の略直角面２２ａに係合して引き抜きが阻止される。
【００１５】
さらに、前記係合爪３４と対向して設けられた押圧用リブ３５の下端面は、傾斜面３５ａとなってバンド挿入孔３３の内面に連続している。従って、挿入されたバンド部１は、係合爪３４側に傾斜することになり、係合爪３４と係合突起２２との係合をより確実にする。
【００１６】
前記把持部４は、バンド挿入部３の基端部前面３ａにバンド部１とは反対側に連接部２と同じ幅で一体に突設されている。把持部４とバンド挿入部３は、前記バンド挿入部３の立設方向と同一方向に立設された略三角形状の補強板５によって補強されている。この補強板５によって把持部４とバンド挿入部３の連設角度は維持され、容易に変形することがない。従って、後述するように、バンド挿入部３の前面を容易にめくり上げることができる。さらに、把持部４の先端面には、把持して確実に引っ張ることができるように、滑り止め用の突片４１が直交するように設けられている。
【００１７】
前記バンド挿入部３の把持部４側の基端部前面３ａには、スリット３６，３６が形成されている。前記スリット３６，３６は、前記補強板５の両側に形成されており、下端は下端面３２側において開口している。一方、前記把持部４にもバンド挿入部３側に透孔４２、４２が設けられている。前記透孔４２，４２は、バンド挿入部３の側面よりも外方にはみ出す大きさであって、バンド挿入部３の基端に沿って設けられている。前記透孔４２，４２は、前記スリット３６，３６と同様に前記補強板５の両側に設けられており、前記スリット３６，３６と透孔４２，４２とはバンド挿入部３の基端において連通している。
【００１８】
また、前記把持部４と連接部２との境界部分には、バンド挿入部３の基端に沿って切断部４３，４３が設けられている。切断部４３は、Ｖ字状の切り込みによって薄肉に形成されている。切断部４３を切断することによって把持部４と連接部２とは切り離され、把持部４は、透孔４２，４２の内側、即ち、補強板５を設けた部分においてのみバンド挿入部３と連結している。
【００１９】
図８から図１０は、この発明に係る第２実施形態を示し、図８は要部を示す斜視図、図９は同じく側面図、図１０は平面図である。この実施形態では、封緘具Ｆ１は、連接部２ａの幅寸法をバンド挿入部３の幅寸法と同じく形成し、把持部４ａをバンド挿入部３の基端から連設した点において第１実施形態と異なっている。
【００２０】
従って、この第２実施形態の封緘具Ｆ１では、把持部４ａに設ける透孔４２ａ、４２ａは、スリット３６，３６とほぼ同じ幅に形成され、互いに連通している。切断部４３ａ，４３ａは、前記透孔４２ａ、４２ａと把持部４ａの側端面との間に設けられている。従って、切断部４３ａ，４３ａを切断することによって、前記透孔４２ａ、４２ａ及びスリット３６，３６は、把持部４ａの側端面に解放されることになる。
【００２１】
上記第２実施形態における他の構成は、第１実施形態と同様であるから、同一構成については、同一符号を付してその説明は省略する。
【００２２】
なお、上記第１及び第２の実施形態において、スリット３６、透孔４２，４２ａ及び切断部４３，４３ａは、図示するようにバンド挿入部３の前面ではなく、バンド部１側である後面３ｂに設けることも可能である。スリット３６、透孔４２，４２ａ及び切断部４３，４３ａをバンド挿入部３の後面３ｂに設けた場合には、把持部４，４ａを省略することも可能である。把持部４，４ａを省略した場合には、切断部４３，４３ａを切断した後、バンド挿入孔３３に指先を入れてめくり上げるか、バンド部１を把持部の代わりにしてバンド部１とは反対方向に引っ張り上げることによってスリット３６，３６の内側をめくり上げることができる。
【００２３】
図１１及び図１２は、この発明の第３実施形態を示す。この第３実施形態の封緘具Ｆ２では、バンド挿入部３は、連接部を介することなく直接バンド部１を有している。上記第１及び第２実施形態では、バンド挿入部の前面３ａを下からめくり上げるためにスリットをバンド挿入部３の基端部に設けたが、この第３実施形態では、バンド挿入部３ｃの上端部にスリット及び把持部を設けてなる。即ち、バンド挿入部３の上端部前面に把持部４ｂを突設してなる。把持部４ｂの先端には、把持したときの滑りを防止する滑り止め用突片４１ａが設けられている。
【００２４】
また、バンド挿入部３の前面には、前記把持部４ｂの両側に引き裂き部４５，４５が設けられている。前記引き裂き部４５は、上端が開口した切欠部４５ａと、切り裂くことが可能なように、他の部分よりも薄肉とした薄肉部４５ｂによって形成されている。前記薄肉部４５ｂは、バンド挿入孔３３内に突設した係合爪３４よりも下方にまで形成されていることが好ましい。前記薄肉部４５ｂは、Ｖ字状溝またはＵ字状溝によって他の部分よりも薄肉とすることができる。
【００２５】
さらに、図から明らかなように、バンド挿入部３の上端部には、前記把持部４ｂと反対向きの把持部４ｃが設けられている。前記把持部４ｃは、把持部４ｂと同一の構成とすることができる。このように、把持部４ｃを設けた場合には、把持部４ｂと同時に把持し、互いに引っ張ることによって引き裂き部４５から容易に引き裂くことができる。引き裂き部４５から引き裂かれると、バンド挿入部３の上端部前面は下方に引き下げることによって折り曲げられた状態となり、バンド部１の係合突起２２と係合爪３４との係合が解除され、バンド部１を引き抜くことができる。
【００２６】
尚、上記第３実施形態においては、把持部４ｂ、４ｃのいずれか一方を省略することができるとともに、把持部４ｂ、４ｃとも省略するか、把持部４ｃを省略し、引き裂き部４５をバンド挿入部３の後面３ｂ、即ち、バンド部１側に設けてもよい。引き裂き部４５をバンド挿入部３のバンド部１側に設けた場合には、把持部４ｂを持つか、バンド挿入部３の下端面に位置する部分のバンド部１を持って引っ張ることにより引き裂き部４５から引き裂けばよい。バンド挿入部３のバンド部側がめくられた状態となり、バンド部１の係合突起２２と係合爪３４との係合が解除され、バンド部１を引き抜くことができる。
【００２７】
次に、図１３及び図１４に基づいて、第１実施形態の封緘具の使用例について説明する。図１３に示すように、郵便物を入れた袋や硬貨袋のような袋物の口部（図示省略）にバンド部１を巻き付け、バンド部１の先端部をバンド挿入部３の下端面３２からバンド挿入孔３３に挿入して上端面３１から突出させる。そして、バンド挿入部３を押さえながらバンド部１の先端部を引っ張って締め付ければよい。このとき、バンド部１の係合突起２２とバンド挿入孔３３内の係合爪３４とが係合してバンド部１のバンド挿入孔３３からの引き抜きを阻止する。
【００２８】
一方、開封するには、図１４に示すように、把持部４を持ち、他方の手でバンド挿入部３の基端部を持って、把持部４を引っ張りながらめくり上げるように折り曲げると、補強板５によって切断部４３に大きな引張力が集中するために簡単に切断することができる。そのまま把持部４を持って上端面３１の方に引っ張ればスリット３６，３６が形成されていることによって、バンド挿入部３の前面３ａも一体にめくり上げられる。このようにして、連結部分の切断部４３を切断することによって、バンド挿入部３の前面３ａは簡単に開口されることになるので、係合突起２２と係合爪３４との係合状態が解除され、バンド部１の先端部を引き抜くことができる。
【００２９】
バンド挿入部３の前面３ａをめくり上げた後は、再度封緘具として使用することは不可能であるから、被封緘物を不正に取り出すことができない。
【図面の簡単な説明】
【００３０】
【図１】この発明の第１実施形態の封緘具の一部を省略した平面図である。
【図２】同じく側面図である。
【図３】バンド部の一部を省略した斜視図である。
【図４】同じく平面図である。
【図５】図４のＡ−Ａ線断面図である。
【図６】バンド挿入部における係合爪を示す要部拡大斜視図である。
【図７】バンド挿入部における押圧用リブを示す要部拡大斜視図である。
【図８】この発明の第２実施形態を示し、バンド部の一部を省略した斜視図である。
【図９】同じく側面図である。
【図１０】同じく平面図である。
【図１１】この発明の第３実施形態を示し、バンド部の一部を省略した斜視図である。
【図１２】図１１のＢ−Ｂ線断面図である。
【図１３】結束した状態の使用例を示す斜視図である。
【図１４】開封状態を示す斜視図である。
【符号の説明】
【００３１】
１：バンド部
２：連接部
３：バンド挿入部
３ａ：バンド挿入部の前面
３ｂ：バンド挿入部の後面
４，４ａ、４ｂ、４ｃ：把持部
５：補強板
２１：略円錐状突起
２２：係合突起
２３：円盤状突起
３１：上端面
３２：下端面
３３：バンド挿入孔
３４：係合爪
３５：押圧用リブ
３５ａ：傾斜面
３６：スリット
４１，４１ａ：突片
４２，４２ａ：透孔
４３，４３ａ：切断部
４５：引き裂き部
【図１】
2005313930.tif 000003
【図２】
2005313930.tif 000004
【図３】
2005313930.tif 000005
【図４】
2005313930.tif 000006
【図５】
2005313930.tif 000007
【図６】
2005313930.tif 000008
【図７】
2005313930.tif 000009
【図８】
2005313930.tif 000010
【図９】
2005313930.tif 000011
【図１０】
2005313930.tif 000012
【図１１】
2005313930.tif 000013
【図１２】
2005313930.tif 000014
【図１３】
2005313930.tif 000015
【図１４】
2005313930.tif 000016